(57)【要約】【課題】魚を投入口から安全且つ確実に容器内へ投入できる釣り用魚入れ容器の提供を目的としている。【解決手段】本発明の釣り用魚入れ容器１は、閉塞方向に付勢された開閉体３，３を備える投入口４を有する。投入口４の開口および開閉体３，３の上面は、容器の喫水線Ｌ２に対して魚投入方向に向かって斜めに立ち上がるように形成される。また、投入口４の開口の傾斜度合いは、開閉体３，３の上面の傾斜度合いよりも大きい。【選択図】    図６
2012070665.tif 000002
【特許請求の範囲】
【請求項１】
閉塞方向に付勢された開閉体を備える魚投入口を有する釣り用魚入れ容器において、
前記魚投入口の開口および前記開閉体の上面は、容器の喫水線に対して魚投入方向に向かって斜めに立ち上がるように形成されるとともに、前記魚投入口の開口の傾斜度合いは、前記開閉体の上面の傾斜度合いよりも大きいことを特徴とする釣り用魚入れ容器。
【請求項２】
前記魚投入口の開口と前記開閉体の上面との間の垂直方向の距離は、魚投入方向に向かって大きくなることを特徴とする請求項１に記載の釣り用魚入れ容器。
【請求項３】
前記魚投入口は、その魚投入方向側の端部が容器の内方に向かって広がるように傾斜して形成されていることを特徴とする請求項１または請求項２に記載の釣り用魚入れ容器。
【請求項４】
前記魚投入口を形成する壁部には、その魚投入方向側の端部に水抜き用の貫通孔が形成されていることを特徴とする請求項１ないし請求項３のいずれか１項に記載の釣り用魚入れ容器。
【発明の詳細な説明】
【技術分野】
【０００１】
本発明は、魚を入れるための釣り用魚入れ容器に関する。
【背景技術】
【０００２】
従来から、おとり缶や引き舟などの釣り用魚入れ容器には、一般に、容器内に魚を入れるための投入口に、閉塞板が設けられている。そのような釣り用魚入れ容器において、投入口から魚を容器内に投入する場合には、魚を掴んだまま閉塞板に押し当てて、閉塞板を開けながら魚を投入する（例えば、特許文献１ないし特許文献３参照）。
【先行技術文献】
【特許文献】
【０００３】
【特許文献１】実開昭５０−１５３１９４号
【特許文献２】特開平１１−１２３０４２号
【特許文献３】実開昭５５−５１４５号
【発明の概要】
【発明が解決しようとする課題】
【０００４】
ところで、引き船は、釣り人が流水の中に立ち込んだ時に生きた魚を入れてロープ等で繋いで引き流しておき、流れの中で魚を収納するため、魚をうまく魚投入口に入れることができず、魚を逃がしてしまう場合がある。
【０００５】
また、引き船に魚を投入する時には、ロープ等で下流に引き流された引き船を引き寄せ、引き船が浮いた状態で魚を掴んだ手で魚投入口の閉塞板を押し開けながら魚を投入するが、その場合、浮いた引き船は、姿勢が安定しにくく、魚の投入作業を難しくしている。特に、投入口が喫水線（船体である容器本体が水面と交わる線）と同じ水平方向を向いていると、釣り人が魚を差し出す方向と投入する方向とが一致しないため、投入作業が更に難しくなる。
【０００６】
本発明は前記事情に着目してなされたものであり、その目的とするところは、魚を投入口から安全且つ確実に容器内へ投入できる釣り用魚入れ容器を提供することにある。
【課題を解決するための手段】
【０００７】
前記課題を解決するために、本発明は、閉塞方向に付勢された開閉体を備える魚投入口を有する釣り用魚入れ容器において、前記魚投入口の開口および前記開閉体の上面は、容器の喫水線に対して魚投入方向に向かって斜めに立ち上がるように形成されるとともに、前記魚投入口の開口の傾斜度合いは、前記開閉体の上面の傾斜度合いよりも大きいことを特徴とする。
【０００８】
この構成によれば、前記魚投入口の開口および前記開閉体の上面は、容器の喫水線に対して魚投入方向に向かって斜めに立ち上がるように形成されるとともに、前記魚投入口の開口の傾斜度合いは、前記開閉体の上面の傾斜度合いよりも大きいため、釣り人が魚を魚投入口に差し出す（投入する）際には、魚を差し出す方向に対抗する方向を向いた魚投入口が開口し、また、魚を差し出す方向に対抗する方向を向いた開閉体が存在することとなり、結果として、開閉体の押し開けが容易になり、魚を投入口から安全且つ確実に容器内へ投入できる。また、この容器構成では、魚投入口の魚投入方向側端部が前方に向けて高く立ちはだかっているため、魚の投入時に握持した魚が暴れても、高く立ちはだかるように魚投入口を形成する壁部に魚の頭部を当て付けて容器内部へと魚をうまく誘導して投入することができるようになる。したがって、容器が浮いた状態で姿勢が安定しにくい状況においても、魚を確実に容器内に投入することができる。
【発明の効果】
【０００９】
本発明によれば、魚を投入口から安全且つ確実に容器内へ投入できる釣り用魚入れ容器を提供することができる。
【図面の簡単な説明】
【００１０】
【図１】本発明の基本構造となる釣り用魚入れ容器の斜視図である。
【図２】図１の釣り用魚入れ容器の要部縦断面図である。
【図３】図１の釣り用魚入れ容器の要部平面図である。
【図４】図３のＡ−Ａに沿う横断面図である。
【図５】図１の変形例に係る釣り用魚入れ容器の図４と同じ方向での横断面図である。
【図６】本発明の第１の実施形態に係る釣り用魚入れ容器の要部縦断面図である。
【図７】本発明の変形例に係る釣り用魚入れ容器の図４と同じ方向での横断面図である。
【図８】本発明の他の変形例に係る釣り用魚入れ容器の図４と同じ方向での横断面図である。
【図９】本発明の第２の実施形態に係る釣り用魚入れ容器の図４と同じ方向での横断面図である。
【図１０】本発明の第２の実施形態に係る釣り用魚入れ容器の要部縦断面図である。
【発明を実施するための形態】
【００１１】
以下、本発明に係る釣り用魚入れ容器の実施形態について、添付図面を参照して説明する。
まず初めに、本発明の基本構造となる釣り用魚入れ容器について説明する。図１〜図４には本発明の基本構造となる釣り用魚入れ容器１が示されている。この釣り用魚入れ容器１は引き舟として構成されている。この引き舟は、釣り上げた魚を生きたままで泳がせながら収納しておくもので、渓流中に浮かべて使用されるものである。引き舟の船首側面に設けた通水孔を通じて流水が容器内部に入るとともに循環して容器から流出し、絶えず船内の水を更新して内部に収納された魚が弱らないように保持しておくようになっている。
【００１２】
図示のように、引き舟としての釣り用魚入れ容器１は容器本体２を備えている。容器本体２は、上面部２ａと、底面部２ｂと、前面部２ｃと、側面部２ｄと、後面部２ｅとを有しており、魚を収納するための収納部Ｓを内部に形成している。容器本体２の前側（船首側）の上面部２ａには、容器内の魚を取り出すための魚取り出し口５が形成されており、この魚取り出し口５には、蓋体１２が、魚取り出し口５の後側（船尾側）に設けられたヒンジ６によって開閉可能に蝶着されている。そして、蓋体１２は、その前端に設けられた操作体８の係止部８ａを容器本体２の前面部２ｃの内面の係止溝に係脱可能に係止させることにより、容器本体２に取着され、魚取り出し口５を閉塞するようになっている。なお、図２には、操作体８の係止部８ａを容器本体２から外して魚取り出し口５を開放させた状態が二点鎖線で示されている。
【００１３】
容器本体２の上面部２ａおよび前面部２ｃには浮き体７が取り付けられており、これらの浮き体７は容器本体２を安定的に浮かせるようになっている。容器本体２の前側（船首側）の側面部２ｄには複数個の通水孔１１が穿設されており、これらの通水孔１１を通じて流水が容器内部に入るとともに循環して容器から流出し、絶えず容器本体２内の水を更新できるようなっている。
【００１４】
なお、容器本体２の前面部２ｃ（船首）にはロープ９が取り付けられており、釣りの間中、釣り人がロープ９を引っ張って釣り用魚入れ容器１を流水中に漂わさせるようになっている。また、ロープ９の基部には、吊り下げ用のハンドル１０が設けられている。
【００１５】
蓋体１２には投入口（魚投入口）４が形成され、また、釣り用魚入れ容器１は、投入口４が形成された上面部２ａ側を上方にして水に浮くようになっており、投入口４には一対の開閉体としての閉塞板３，３が開閉可能に設けられている。具体的に、これらの閉塞板３，３は、投入口４の前側（船首側）に設けられたヒンジ（回動部としての蝶番）１５によってその長手方向の一端側（前端）にある回動端部２９が回動可能（開閉可能）に蝶着支持されており、ヒンジ１５を中心にその長手方向の他方側の開放端１９を収納部Ｓ内へ向けて下向きに開放させることができるようになっている。
【００１６】
また、閉塞板３，３は閉塞方向に付勢されている。具体的には、閉塞板３，３の回動端部２９が、ヒンジ１５の回動軸部に巻装された付勢手段としてのバネ３５によって常時閉じる方向（上向き）へ付勢されている。
【００１７】
また、本構成において、閉塞板３，３は、その長手方向の少なくとも一部の上面が略全体にわたって左右両側（左右両端）から中央側に向けて凹状に傾斜する傾斜面３ａを有している。このような傾斜面３ａは、閉塞板３，３の上面の長手方向全体にわたって（すなわち、閉塞板３，３の上面の全体にわたって）設けられることが好ましいが、投入口４の前後方向の中間位置Ｌ１よりも後方側に投入口４の最大幅部（左右方向の寸法が最大の部分）を設け、少なくともこの後方側（魚投入方向側）に傾斜面３ａが設けられていればよい。
【００１８】
図４に明確に示されるように、傾斜面３ａは、閉塞板３の左右両端である投入口内側縁部（側端部）３９から投入口４の左右方向の中央位置Ｌ３にある中央部４９へ向けて収納部Ｓ内方へと下向きに凹状に延びる湾曲線Ｃを描くように形成されている。更に、傾斜面３ａは、図２に明確に示されるように、閉塞板３，３の回動端部２９近傍に形成され且つ収納部Ｓ側から投入口４内へと略垂直に立ち上がる立ち上がり部２０を起点として開放端１９まで下向きに傾斜して延在している。なお、図中、Ｌ２は、船体である容器本体２が水面と交わる喫水線である。
【００１９】
また、本構成において、閉塞板３，３の開放端１９と対向する投入口４の部分（投入口４の魚投入方向側の端部）、具体的には、容器本体２の上面部２ａの投入口４を形成する壁部（この壁部は、投入口４の周縁に沿ってその内側に形成される）には、投入口４の開口が魚入れ容器の内方（収納部Ｓ内）に向かって広がるように傾斜面２２が形成されている（投入口４は、その魚投入方向側の端部が容器の内方に向かって広がるように傾斜して形成されている）。この場合、傾斜面２２の上縁部２３は、上面部２ａ（蓋体１２の上面部２ａ）よりも上方に鍔状に突き出て形成されており、傾斜面２２の延在長さを稼いでいる。
【００２０】
以上説明したように、本発明のこの基本構造に係る釣り用魚入れ容器１は、閉塞板３，３の長手方向の少なくとも一部の上面が略全体にわたって左右両側から中央側に向けて凹状に傾斜する傾斜面３ａを有するため、この傾斜面３ａによって魚を閉塞板３，３の中央側へとスムーズに且つ確実に誘導でき、魚を投入口４から安全に容器内に投入することができる。また、本構成において、閉塞板３，３は、その長手方向の一端側が回動可能に支持されているため、閉塞板３，３の中央側へ誘導された魚をそのまま長手方向に滑り込ませて閉塞板３，３の開放端１９から容器内へ投入することができる。すなわち、魚を投入口４からスムーズに投入できる（魚を閉塞板３，３の回動端部２９側から閉塞板３，３に対して押し当て閉塞板３，３の長手方向に滑り込ませるように閉塞板３，３の開放端１９から収納部Ｓ内へと投入できる）。また、本構成では、傾斜面３ａが閉塞板３，３の開放端１９まで延在しているため、閉塞板３，３の開放端１９側に魚を誘導してスムーズに容器内に投入することができる。更に、本構成では、閉塞板３，３の開放端１９と対向する投入口４の部分が該投入口４の開口を魚入れ容器の内方に向けて広げるように傾斜する傾斜面２２として形成されているため、閉塞板３，３の開放端１９側に誘導された魚をこの傾斜面２２に当てて（傾斜面２２に沿わせて）容器内へとスムーズに誘導（投入）することができる。
【００２１】
図５は図１の変形例に係る釣り用魚入れ容器１Ａを示している。図示のように、この釣り用魚入れ容器１Ａでは、閉塞板３，３の左右の周縁部を投入口４内で立ち上げて立ち上がり部５０を形成している。そして、傾斜面３ａは、この立ち上がり部５０から投入口４の左右方向の中央位置Ｌ３にある中央部４９へ向けて収納部Ｓ内方へと下向きに凹状に延びる湾曲線Ｃ１を描くように形成されている。なお、それ以外の構成は前述した基本構造と同一であり、したがって、基本構造と同様の作用効果を有する。
【００２２】
図６は本発明の第１の実施形態を示している。本実施形態に係る釣り用魚入れ容器１Ｂにおいて、投入口４は、釣り用魚入れ容器１Ｂが水に浮いた状態でその後方側（開放端１９側）がその前方側よりも高くなるように喫水線Ｌ２（水平の基準線）に対して傾斜する傾斜面Ｃ３を描いて形成されている。特に、本実施形態において、投入口４の開口および閉塞板３，３の上面は、容器本体２の喫水線Ｌ２に対して魚投入方向に向かって斜めに立ち上がるように形成されるとともに、投入口４の開口の傾斜度合いは、閉塞板３，３の上面の傾斜度合いよりも大きく設定されている。したがって、投入口４の開口と閉塞板３，３の上面との間の垂直方向の距離Ｈは、魚投入方向に向かって大きくなっている。ここで、投入口４の開口の傾きは、投入口４を形成する容器本体２の壁部の前端（船首側端部）の上縁部９２と後端（魚投入方向側端部）の上縁部２３とを結ぶ線分（傾斜線）Ｌ４によって規定される。また、閉塞板３，３の上面の傾きは、前述した立ち上がり部２０の上縁部２０ａと開放端１９の上縁部１９ａとを結ぶ線分（傾斜線）Ｌ５によって規定される。そして、本実施形態においても、基本構造で説明したように、容器本体２の上面部２ａの投入口４を形成する壁部には、傾斜線Ｌ６によって示されるように、投入口４の開口が魚入れ容器の内方（収納部Ｓ内）に向かって広がるように傾斜面２２が形成されている（投入口４は、その魚投入方向側の端部が容器の内方に向かって広がるように傾斜して形成されている）。
【００２３】
このように、本実施形態によれば、投入口４の開口および閉塞板３，３の上面は、容器本体２の喫水線Ｌ２に対して魚投入方向に向かって斜めに立ち上がるように形成されるとともに、投入口４の開口の傾斜度合いは、閉塞板３，３の上面の傾斜度合いよりも大きいため、釣り人が魚を投入口４に差し出す（投入する）際には、魚を差し出す方向に対抗する方向を向いた投入口４が開口し、また、魚を差し出す方向に対抗する方向を向いた閉塞板３，３が存在することとなり、結果として、閉塞板３，３の押し開けが容易になり、魚を投入口４から安全且つ確実に容器本体２内へ投入できる（釣り人は、手を捻るなど無理をせずに自然な握持状態で魚を投入できる）。また、この容器構成では、投入口４の魚投入方向側端部が前方に向けて高く立ちはだかっているため、魚の投入時に握持した魚が暴れても、高く立ちはだかるように投入口４を形成する壁部に魚の頭部を当て付けて容器内部へと魚をうまく誘導して投入することができるようになる。したがって、容器本体２が浮いた状態で姿勢が安定しにくい状況においても、魚を確実に容器内に投入することができる。また、投入口４は、その魚投入方向側の端部が容器の内方に向かって広がるように傾斜して形成されているため、魚は、その傾斜面に誘導されて外側に飛び出すことが防止され、容器内部へと誘導される。
また、少なくとも閉塞板（開閉体）３，３の開放端１９の上縁部１９ａは喫水線Ｌ２よりも上方に位置するため、魚を投入する時に閉塞板３，３の開放端１９側の位置が確認し易く、魚を入れやすい。
【００２４】
図７は前述した構成の変形例を示している。この変形例に係る釣り用魚入れ容器１Ｃにおいて、閉塞板３，３の傾斜面３ａは、閉塞板３の投入口内側縁部３９から中央位置Ｌ３にある中央部４９へ向けて収納部Ｓ内方へと下向きにうねりながら凹状に傾斜する波状面Ｃ４を描くように形成されている。また、傾斜面３ａには通水孔６０も形成されている。このように、本発明に係る傾斜面３ａは、うねりや凹凸、孔があっても全体的に傾斜面となっていればよい。
【００２５】
図８は前述した構成の他の変形例を示している。この変形例に係る釣り用魚入れ容器１Ｄの閉塞板３は、前述した左右の閉塞板３，３を一体に形成して成る１枚の閉塞板３として構成されている。この場合、閉塞板３の傾斜面３ａは、閉塞板３の左右両側の投入口内側縁部３９から中央位置Ｌ３にある中央部４９へ向けて収納部Ｓ内方へと下向きに直線状の凹状形態で傾斜する平面Ｃ５を描くように形成されている。このように、本発明の閉塞板は一対に限らず、一枚であってもよい。
【００２６】
図９および図１０は本発明の第２の実施形態を示している。本実施形態に係る釣り用魚入れ容器１Ｄにおいて、閉塞板３，３の上面は、前端側（船首側）から長手方向の中間位置Ｌ１に向かって下方へ傾斜した後、該中間位置Ｌ１から後端側（魚投入方向側端部）へ向かって後方上がりに（魚投入方向に向かって）傾斜するようになっている。このような形態によれば、一度中間位置Ｌ１に向けて投入口４の内部に深く魚の頭部を差し込んだ後に後方側の後方上がり傾斜の閉塞板上面を押圧して閉塞板３，３を開けることができるため、より確実に魚を投入できる。また、本構成では、投入口４を形成する壁部（容器本体２の壁部）の魚投入方向側の端部が高く形成されており、魚投入時に魚が飛び出しにくくなっている。また、この壁には、前後方向に水抜き用の貫通孔９６が形成されており、容器上に水が被ってもこの貫通孔９６を通じて投入口４内に水が入らず抜けるようになっている。これにより、水の抵抗で閉塞板３，３が不用意に開くことがない。
【００２７】
また、本構成においても、投入口４の開口および閉塞板３，３の上面は、容器本体２の喫水線Ｌ２に対して魚投入方向に向かって斜めに立ち上がるように形成されるとともに、投入口４の開口の傾斜度合いは、閉塞板３，３の上面の傾斜度合いよりも大きく設定されている。ここで、投入口４の開口の傾きは、投入口４を形成する容器本体２の壁部の前端（船首側端部）の上縁部９２と後端（魚投入方向側端部）の上縁部２３とを結ぶ線分（傾斜線）Ｌ４によって規定される。また、閉塞板３，３の上面の傾きは、前後方向の中間位置Ｌ１における下方傾斜端部９７と開放端１９の上縁部１９ａとを結ぶ線分（傾斜線）Ｌ５によって規定されるように、閉塞板（開閉体）３，３の上面の少なくとも後端側（開放端１９側）が魚投入方向に向かって斜めに立ち上がるように形成されていれば良い。
【符号の説明】
【００２８】
１，１Ａ，１Ｂ，１Ｃ，１Ｄ  釣り用魚入れ容器
３  閉塞板（開閉体）
３ａ  閉塞板の傾斜面
４  投入口（魚投入口）
９６  貫通孔
【図１】
2012070665.tif 000003
【図２】
2012070665.tif 000004
【図３】
2012070665.tif 000005
【図４】
2012070665.tif 000006
【図５】
2012070665.tif 000007
【図６】
2012070665.tif 000008
【図７】
2012070665.tif 000009
【図８】
2012070665.tif 000010
【図９】
2012070665.tif 000011
【図１０】
2012070665.tif 000012